(57)【要約】【解決手段】太陽光発電装置が開示される。太陽光発電装置は、第１領域及び上記第１領域に隣接する第２領域を含む第１基板、上記第１領域に配置される多数個の太陽電池、及び上記第１領域に配置されて上記第２領域を露出させ、上記太陽電池の上に配置される第２基板を含む。【選択図】図１
2013506993.tif 000002
【特許請求の範囲】
【請求項１】
第１領域及び前記第１領域に隣接する第２領域を含む第１基板と、
前記第１領域に配置される多数個の太陽電池と、
前記第１領域に配置されて前記第２領域を露出させ、前記太陽電池の上に配置される第２基板と、
を含むことを特徴とする、太陽光発電装置。
【請求項２】
前記太陽電池に連結され、前記第１領域から前記第２領域に延びるバスバーを含むことを特徴とする、請求項１に記載の太陽光発電装置。
【請求項３】
前記第２領域に配置され、前記バスバーと連結される連結配線を含むことを特徴とする、請求項２に記載の太陽光発電装置。
【請求項４】
前記第２領域に及び前記第２基板の側面に配置されるジャンクションボックスを含むことを特徴とする、請求項１に記載の太陽光発電装置。
【請求項５】
前記太陽電池のうちの１つに接続され、前記第１領域から前記第２領域に延びる第１バスバーと、
前記太陽電池のうちの他の１つに接続され、前記第１領域から前記第２領域に延びる第２バスバーと、
前記第１バスバー及び前記第２バスバーに連結され、前記第２領域に配置されるダイオードと、
を含むことを特徴とする、請求項１に記載の太陽光発電装置。
【請求項６】
前記第１基板の側面に配置され、前記第２領域を覆うフレームを含むことを特徴とする、請求項１に記載の太陽光発電装置。
【請求項７】
前記第１基板の下に第３基板が配置され、
前記第１基板及び前記第３基板の間には窒素または不活性気体が充填されることを特徴とする、請求項１に記載の太陽光発電装置。
【請求項８】
前記第１基板及び前記第２基板の間に介され、前記第１領域に配置され、前記第２領域を露出させる緩衝フィルムを含むことを特徴とする、請求項１に記載の太陽光発電装置。
【請求項９】
第１基板と、
前記第１基板の上に配置される第２基板と、
前記第１基板及び前記第２基板の間に介される太陽電池と、
前記第１基板の上面及び前記第２基板の側面に配置されるジャンクションボックスと、
を含むことを特徴とする、太陽光発電装置。
【請求項１０】
前記太陽電池に接続され、前記ジャンクションボックスの内に延びるバスバーを含むことを特徴とする、請求項９に記載の太陽光発電装置。
【請求項１１】
前記バスバーに連結され、前記ジャンクションボックスから外部に延びる連結配線を含むことを特徴とする、請求項１０に記載の太陽光発電装置。
【請求項１２】
前記ジャンクションボックスの内に配置され、前記バスバーに連結されるダイオードを含むことを特徴とする、請求項１０に記載の太陽光発電装置。
【請求項１３】
前記第１基板の外郭、前記第２基板の外郭、及び前記ジャンクションボックスを収容するフレームを含むことを特徴とする、請求項９に記載の太陽光発電装置。
【請求項１４】
前記第１基板及び前記第２基板は互いに段差を形成することを特徴とする、請求項９に記載の太陽光発電装置。
【請求項１５】
第１基板と、
前記第１基板の上に配置される第１太陽電池及び第２太陽電池と、
前記第１基板の上に配置され、前記第１太陽電池に接続される第１バスバーと、
前記第１基板の上に配置され、前記第２太陽電池に接続される第２バスバーと、
前記第１バスバーに連結され、前記第１基板の上面に配置される第１連結配線と、
前記第２バスバーに連結され、前記第１基板の上面に配置される第２連結配線と、
を含むことを特徴とする、太陽光発電装置。
【請求項１６】
前記第１バスバー及び前記第２バスバーに連結され、前記第１基板の上面に配置されるダイオードを含むことを特徴とする、請求項１５に記載の太陽光発電装置。
【請求項１７】
前記第１基板の上に配置される第２基板と、
前記第１基板及び前記第２基板の間に介され、前記ダイオードを覆う緩衝フィルムと、
を含むことを特徴とする、請求項１６に記載の太陽光発電装置。
【請求項１８】
前記第１バスバー及び前記第１連結配線が互いに接続される部分及び前記第２バスバー及び前記第２連結配線が互いに接続される部分を覆うジャンクションボックスを含むことを特徴とする、請求項１５に記載の太陽光発電装置。
【発明の詳細な説明】
【技術分野】
【０００１】
本発明は、太陽光発電装置に関するものである。
【背景技術】
【０００２】
光電変換効果を用いて光エネルギーを電気エネルギーに変換する太陽光発電モジュールは、地球環境の保全に寄与する無公害エネルギーを得る手段として広く使われている。
【０００３】
太陽電池の光電変換効率が改善されるにつれて、太陽光発電モジュールを備えた多くの太陽光発電システムが居住用途まで設置されるに至った。
【０００４】
太陽光から電力を発生させる太陽電池を備える太陽光発電モジュールから発生した電力を外部に出力させるために、正電極及び負電極の機能をする伝導体が太陽光発電モジュールに配置され、電流を外部に出力させるためのケーブルが連結される接続端子として、伝導体の端部が光起電性モジュールの外部に取り出される。
【発明の概要】
【発明が解決しようとする課題】
【０００５】
本発明は、向上した強度及び外観を有する太陽光発電装置を提供することをその目的とする。
【課題を解決するための手段】
【０００６】
本発明の一実施形態に係る太陽光発電装置は、第１領域及び上記第１領域に隣接する第２領域を含む第１基板、上記第１領域に配置される多数個の太陽電池、及び上記第１領域に配置されて上記第２領域を露出させ、上記太陽電池の上に配置される第２基板を含む。
【０００７】
本発明の一実施形態に係る太陽光発電装置は、太陽電池パネル、上記太陽電池パネルの上に配置される保護基板、及び上記太陽電池パネルの上面及び上記保護基板の側面に配置されるジャンクションボックスを含む。
【０００８】
本発明の一実施形態に係る太陽光発電装置は、基板、上記基板の上に配置される第１太陽電池及び第２太陽電池、上記基板の上に配置され、上記第１太陽電池に接続される第１バスバー、上記基板の上に配置され、上記第２太陽電池に接続される第２バスバー、上記第１バスバーに連結され、上記基板の上面に配置される第１連結配線、及び上記第２バスバーに連結され、上記基板の上面に配置される第２連結配線を含む。
【発明の効果】
【０００９】
本発明に係る太陽光発電装置は、太陽電池パネルの上面にジャンクションボックスを配置させる。即ち、本発明に係る太陽光発電装置は、第１基板の上面にジャンクションボックスを付着させ、バスバー、連結配線、及びダイオードを第１基板の上面に配置させることができる。
【００１０】
また、ジャンクションボックスが第１基板の上面の外郭部分に付着される。これによって、ジャンクションボックスはフレームの内側に収容される。したがって、本発明に係る太陽光発電装置は、ジャンクションボックスを太陽電池パネルに堅く付着させることができる。
【００１１】
また、本発明に係る太陽光発電装置は、バスバー、連結配線、及びダイオードを第１基板の上面に配置させるため、第１基板には貫通ホールが形成される必要がない。
【００１２】
即ち、連結配線、ダイオード、及びジャンクションボックスなどが第１基板の下面に配置される場合には、バスバーが第１基板の下面に延びるための貫通ホールが形成されなければならない。
【００１３】
しかしながら、本発明に係る太陽光発電装置は、第１基板に貫通ホールを形成する必要がないので、容易に形成することができ、向上した強度を有する。
【図面の簡単な説明】
【００１４】
【図１】本発明の実施形態に係る太陽電池モジュールを示す分解斜視図である。
【図２】太陽電池パネルを示す平面図である。
【図３】バスバー、ダイオード、及び連結配線を示す図である。
【図４】本発明の実施形態に係る太陽電池モジュールを示す平面図である。
【図５】図４のＡ−Ａ’に沿って切断した断面を示す断面図である。
【図６】本発明の他の実施形態に係る太陽電池モジュールを示す図である。
【図７】図６のＢ−Ｂ’に沿って切断した断面を示す断面図である。
【発明を実施するための形態】
【００１５】
本発明を説明するに当たって、各パネル、フレーム、部材、突起、またはセルなどが、各パネル、フレーム、部材、突起、またはセルなどの“上（on）”に、または“下（under）”に形成されることと記載される場合において、“上（on）”と“下（under）”は、“直接（directly）”または“他の構成要素を介して（indirectly）”形成されることを全て含む。また、各構成要素の上または下に対する基準は、図面を基準として説明する。図面において、各構成要素のサイズは説明のために誇張することがあり、実際に適用されるサイズを意味するものではない。
【００１６】
図１は、本発明の実施形態に係る太陽電池モジュールを示す分解斜視図である。図２は、太陽電池パネルを示す平面図である。図３は、バスバー、ダイオード、及び連結配線を示す図である。図４は、本発明の実施形態に係る太陽電池モジュールを示す平面図である。図５は、図４のＡ−Ａ’に沿って切断した断面を示す断面図である。
【００１７】
図１乃至図５を参照すると、実施形態に係る太陽電池モジュールは、フレーム１００、太陽電池パネル２００、ジャンクションボックス４００、第１連結配線６１０、第２連結配線６２０、及び第３基板５００を含む。
【００１８】
上記フレーム１００は、上記太陽電池パネル２００、上記ジャンクションボックス４００、及び上記第３基板５００を収容する。より詳しくは、上記フレーム１００は上記太陽電池パネル２００の側面を収容する。また、上記フレーム１００は上記太陽電池パネル２００の側面を囲む。
【００１９】
上記フレーム１００は、上記太陽電池パネル２００の外郭、上記第３基板５００の外郭、及び上記ジャンクションボックス４００を収容する。上記フレーム１００は、上記ジャンクションボックス４００の全体を収容する。
【００２０】
例えば、上記フレーム１００は、上記太陽電池パネル２００の４個の側面に配置される。上記フレーム１００に使われる物質の例としては、アルミニウム（Ａｌ）などの金属が挙げられる。上記フレーム１００は、第１サブフレーム１１０、第２サブフレーム１２０、第３サブフレーム１３０、及び第４サブフレーム１４０を含む。
【００２１】
上記第１サブフレーム１１０は、上記太陽電池パネル２００の一側面を囲む。上記第１サブフレーム１１０は、上記ジャンクションボックス４００を収容するように配置される。上記第１サブフレーム１１０は、上記ジャンクションボックス４００の全体を収容する。
【００２２】
上記第１サブフレーム１１０は、第１サポート部１１１、第２サポート部１１２、及び第３サポート部１１３を含む。上記第１サポート部１１１は、上記太陽電池パネル２００の側面に配置され、上記太陽電池パネル２００の側面を支持する。
【００２３】
上記第２サポート部１１２は、上記第１サポート部１１１から延びる。上記第２サポート部１１２は、上記第１サポート部１１１の端部から折り曲げられてまたは湾曲して延びる。上記第２サポート部１１２は、上記第１サポート部１１１から内側に延びる。また、上記第２サポート部１１２は上記太陽電池パネル２００の上に配置され、上記太陽電池パネル２００の上面を支持する。
【００２４】
上記第３サポート部１１３は、上記第１サポート部１１１から内側に延びる。上記第３サポート部１１３は、上記第１サポート部１１１の端部から折曲または湾曲して延びる。上記第３サポート部１１３は、上記第３基板５００の下部を支持する。上記第１乃至第３サポート部１１１、１１２、１１３は一体形成される。
【００２５】
上記第４サブフレーム１４０は、上記太陽電池パネル２００の他の側面を囲む。上記第４サブフレーム１４０は、上記第４サポート部１４１、第５サポート部１４２、及び第６サポート部１４３を含む。上記第４サポート部１４１は上記太陽電池パネル２００の側面に配置され、上記太陽電池パネル２００の側面を支持する。
【００２６】
上記第５サポート部１４２は、上記第４サポート部１４１から延びる。上記第５サポート部１４２は、上記第４サポート部１４１の端部から折曲または湾曲して延びる。上記第５サポート部１４２は、上記第４サポート部１４１から内側に延びる。また、上記第５サポート部１４２は上記太陽電池パネル２００の上に配置され、上記太陽電池パネル２００の上面を支持する。
【００２７】
上記第６サポート部１４３は、上記第４サポート部１４１から内側に延びる。上記第６サポート部１４３は、上記第４サポート部１４１の端部から折曲または湾曲して延びる。上記第６サポート部１４３は、上記第３基板５００の下部を支持する。上記第４乃至第６サポート部１４１、１４２、１４３は一体形成される。
【００２８】
上記第２サブフレーム１２０と第３サブフレーム１３０は、上記太陽電池パネル２００の他の側面を囲み、上記第１サブフレーム１１０の両端部に締結される。上記第２サブフレーム１２０と第３サブフレーム１３０のサポート部に対する構成は、上記第４サブフレーム１４０のサポート部と構造が同一であるので、上記第２サブフレーム１２０と第３サブフレーム１３０に対する詳細な説明は省略する。
【００２９】
上記太陽電池パネル２００は、上記フレーム１００の内側に配置される。より詳しくは、上記太陽電池パネル２００は、上記フレーム１００に収容される。より詳しくは、上記太陽電池パネル２００の外郭部分は、上記フレーム１００の内側に挿入される。
【００３０】
上記太陽電池パネル２００は、プレート形状を有する。より詳しくは、上記太陽電池パネル２００は、四角プレート形状を有することができる。上記太陽電池パネル２００は、段差を有するプレート形状を有することができる。上記太陽電池パネル２００は、第１基板２２０、多数個の太陽電池２１０、第１バスバー２５１、第２バスバー２５２、緩衝フィルム２３０、及び第２基板２４０を含む。
【００３１】
上記第１基板２２０は絶縁体でありうる。上記第１基板２２０は、ガラス基板、プラスチック基板、または金属基板でありうる。より詳しくは、上記第１基板２２０は、ソーダライムグラス（soda lime glass）基板でありうる。上記第１基板２２０は透明でありうる。上記第１基板２２０はリジッドでありうる。
【００３２】
上記第１基板２２０は、第１領域Ｒ１及び第２領域Ｒ２を含む。より詳しくは、上記第１基板２２０には上記第１領域Ｒ１及び上記第２領域Ｒ２が定義される。即ち、上記第１基板２２０は上記第１領域Ｒ１及び上記第２領域Ｒ２によって区分される。
【００３３】
上記第１領域Ｒ１及び上記第２領域Ｒ２は互いに隣接する。上記第１領域Ｒ１は、上記第１基板２２０の大部分の面積を占める。上記第２領域Ｒ２は、上記第１基板２２０の外郭に配置される。
【００３４】
上記太陽電池２１０は、上記第１基板２２０の上に配置される。より詳しくは、上記太陽電池２１０は上記第１領域Ｒ１に配置される。上記太陽電池２１０は、上記第１領域Ｒ１に対応する上記第１基板２２０の上面に直接配置される。
【００３５】
上記太陽電池２１０は太陽光を電気エネルギーに変換させる。上記太陽電池２１０は互いに直列に連結される。上記太陽電池２１０は、ＣＩＧＳ系太陽電池などのI−III−IV族系半導体化合物を含む太陽電池、シリコン系太陽電池、または染料感応太陽電池でありうる。
【００３６】
上記太陽電池２１０はストライプ形態に配置される。上記太陽電池２１０は互いに直列に連結される。
【００３７】
上記第１バスバー２５１は、上記太陽電池２１０に連結される。より詳しくは、上記第１バスバー２５１は、上記太陽電池２１０のうちの１つに連結される。より詳しくは、上記第１バスバー２５１は、最外郭に配置される太陽電池２１０のうちの１つの上面に配置される。
【００３８】
上記第１バスバー２５１は導電体である。上記第１バスバー２５１は、銅または銀などを含むことができる。上記第１バスバー２５１は、上記最外郭に配置される太陽電池２１０のうちの１つの上面に接続される。
【００３９】
上記第１バスバー２５１は、上記第１基板２２０の上に配置される。上記第１バスバー２５１は、上記第１領域Ｒ１から上記第２領域Ｒ２に延びる。より詳しくは、上記第１バスバー２５１は、上記最外郭に配置される太陽電池２１１、２１２のうちの１つ（２１１）の上面から上記ジャンクションボックス４００に延びる。
【００４０】
上記第１バスバー２５１は、上記第１連結配線６１０と電気的に連結される。上記太陽電池２１０により生成された電流は、上記第１バスバー２５１及び上記第１連結配線６１０を通じて充電装置などに伝えられる。
【００４１】
上記第２バスバー２５２は、上記太陽電池２１０に連結される。より詳しくは、上記第１バスバー２５１は、上記太陽電池２１０のうちの１つに連結される。より詳しくは、上記第２バスバー２５２は、最外郭に配置される太陽電池２１１、２１２のうちの他の１つ（２１２）の上面に配置される。
【００４２】
上記第２バスバー２５２は導電体である。上記第２バスバー２５２は、銅または銀などを含むことができる。上記第２バスバー２５２は、上記最外郭に配置される太陽電池２１０のうちの他の１つの上面に接続される。
【００４３】
上記第２バスバー２５２は、上記第１基板２２０の上に配置される。上記第２バスバー２５２は、上記第１領域Ｒ１から上記第２領域Ｒ２に延びる。より詳しくは、上記第２バスバー２５２は、上記最外郭に配置される太陽電池２１０のうちの他の１つの上面から上記ジャンクションボックス４００に延びる。
【００４４】
上記第２バスバー２５２は、上記第２連結配線６２０と電気的に連結される。上記太陽電池２１０により生成された電流は、上記第２バスバー２５２及び上記第２連結配線６２０を通じて充電装置などに伝えられる。
【００４５】
上記緩衝フィルム２３０は、上記太陽電池２１０の上に配置される。上記緩衝フィルム２３０は、上記太陽電池２１０を覆う。また、上記緩衝フィルム２３０は、上記第１バスバー２５１及び上記第２バスバー２５２を覆う。
【００４６】
上記緩衝フィルム２３０は、上記第１領域Ｒ１のみに配置される。即ち、上記緩衝フィルムは、上記第２領域Ｒ２を覆わないで露出させることができる。また、上記緩衝フィルム２３０は、上記第１バスバー２５１及び上記第２バスバー２５２の一部を覆って、他の一部を露出させることができる。
【００４７】
上記緩衝フィルム２３０は、上記太陽電池２１０に印加される物理的な衝撃を吸収する。また、上記緩衝フィルム２３０は、上記太陽電池２１０への酸素及び／または湿気の侵入を防止する。
【００４８】
上記緩衝フィルム２３０は弾性を有し、透明である。上記緩衝フィルム２３０に使われる物質の例としては、エチレンビニルアセテート（ethylene vinyl acetate；ＥＶＡ）などが挙げられる。
【００４９】
上記第２基板２４０は、上記第１基板２２０の上に配置される。上記第２基板２４０は上記太陽電池２１０を覆って、上記緩衝フィルム２３０の上に配置される。上記第２基板２４０は、上記第１領域Ｒ１に配置される。上記第２基板２４０は上記第２領域Ｒ２には配置されず、上記第２領域Ｒ２を露出させる。
【００５０】
上記第１基板２２０及び上記第２基板２４０は段差を形成する。即ち、上記第２基板２４０は上記第２領域Ｒ２に配置されず、上記第１領域Ｒ１に配置されるので、上記第２領域Ｒ２に段差が形成される。上記第２基板２４０の平面積は、上記第１基板２２０の平面積より小さい。
【００５１】
上記第２基板２４０は透明で、高い強度を有する。上記第２基板２４０は透明なガラス基板である。例えば、上記第２基板２４０は強化ガラスで形成される。上記第２基板２４０は外部の衝撃から上記太陽電池２１０を保護する。
【００５２】
上記第２基板２４０は、上記緩衝フィルム２３０の上面に密着する。また、上記緩衝フィルム２３０は、上記第１基板２２０の上面に密着する。上記緩衝フィルム２３０は、上記太陽電池２１０の上面に密着する。
【００５３】
上記ジャンクションボックス４００は、上記第２領域Ｒ２に配置される。上記ジャンクションボックス４００は、上記第１基板２２０の上面に配置される。また、上記ジャンクションボックス４００は、上記第２基板２４０の側面に配置される。即ち、上記ジャンクションボックス４００は、上記第１基板２２０の上面に付着されながら、同時に上記第２基板２４０の側面と接するように配置される。
【００５４】
図４及び図５に示すように、上記ジャンクションボックス４００は上記フレーム１００の内側に配置される。
【００５５】
上記第１基板２２０と第２基板２４０は段差を形成し、上記段差が生じる領域に上記ジャンクションボックス４００が配置される。これによって、上記ジャンクションボックス４００は、より安定的で、かつ堅く上記第１基板２２０及び上記第２基板２４０に付着される。
【００５６】
また、上記ジャンクションボックス４００は上記フレーム１００内側に配置されるので、上記ジャンクションボックス４００が動いたり脱落したりする現状を防止することができる。即ち、上記ジャンクションボックス４００は、上記フレーム１００により効果的に保護できる。
【００５７】
上記ジャンクションボックス４００は、第１バスバー２５１の一部、上記第２バスバー２５２の一部、上記第１連結配線６１０の一部、上記第２連結配線６２０の一部、及びダイオード４１０を収容することができる。
【００５８】
即ち、上記ジャンクションボックス４００は、上記第１バスバー２５１及び上記第１連結配線６１０が互いに接続する部分Ｊ１及び上記第２バスバー２５２及び上記第２連結配線６２０が互いに接続する部分Ｊ２を覆う。
【００５９】
上記ダイオード４１０は、上記第１バスバー２５１及び上記第２バスバー２５２に電気的に連結される。また、上記ダイオード４１０は、上記第１連結配線６１０及び上記第２連結配線６２０に電気的に連結される。上記ダイオード４１０は、実施形態に係る太陽電池モジュールが不能状態になる時、隣接する太陽電池モジュールを互いに連結させる。
【００６０】
上記ジャンクションボックス４００は、上記ダイオード４１０を覆う。また、上記ジャンクションボックス４００の内には、上記第１バスバー２５１、上記第２バスバー２５２、上記ダイオード４１０、上記第１連結配線６１０、及び上記第２連結配線６２０を互いに連結させるための回路基板が配置される。
【００６１】
即ち、上記ジャンクションボックス４００は、上記第１バスバー２５１の一部、上記第２バスバー２５２の一部、上記ダイオード４１０、及び上記回路基板を収容するためのハウジングである。
【００６２】
上記第１連結配線６１０は、上記ジャンクションボックス４００の内側から外部に延びる。より詳しくは、上記第１連結配線６１０は、上記ジャンクションボックス４００の内側から上記フレーム１００の内部に沿って、上記フレーム１００の外部に延びる。
【００６３】
上記第１連結配線６１０は、上記第１バスバー２５１に連結される。上記第１連結配線６１０は、隣接する太陽電池モジュールまたは充電装置などに連結される。
【００６４】
上記第２連結配線６２０は、上記ジャンクションボックス４００の内側から外部に延びる。より詳しくは、上記第２連結配線６２０は、上記ジャンクションボックス４００の内側から上記フレーム１００の内部に沿って上記フレーム１００の外部に延びる。
【００６５】
上記第２連結配線６２０は、上記第２バスバー２５２に連結される。上記第２連結配線６２０は、隣接する太陽電池モジュールまたは充電装置などに連結される。
【００６６】
上記第３基板５００は、上記第１基板２２０の下に配置される。上記第３基板５００は、上記第１基板２２０と所定の間隔で離隔して、エアーギャップ６００を形成する。また、上記第３基板５００の外郭は、上記フレーム１００の内側に挿入される。
【００６７】
上記エアーギャップ６００は、実施形態に係る太陽電池モジュールが建築物の窓に適用される時、内部及び外部を断熱させる。この際、上記エアーギャップ６００は、上記第１基板２２０と第３基板５００との間に窒素（Ｎ２）ガスまたはアルゴン（Ａｒ）ガスを充填して形成される。この際、上記エアーギャップ６００は、上記フレーム１００の設計を変更して上記エアーギャップ６００の厚さを調節することができる。
【００６８】
また、上記ジャンクションボックス４００が上記第１基板２２０の上面に付着されるため、上記第３基板５００は上記第１基板２２０の下面に容易に付着できる。
【００６９】
実施形態に係る太陽電池モジュールは、上記ジャンクションボックス４００を第１基板２２０の上面に付着させ、上記フレーム１００の内側に配置させる。これによって、上記ジャンクションボックス４００は、上記第１基板２２０に堅く付着される。
【００７０】
また、上記第１バスバー２５１、上記第２バスバー２５２、上記ダイオード４１０、上記第１連結配線６１０、及び上記第２連結配線６２０は、全て上記第１基板２２０の上面に配置される。これによって、上記第１基板２２０には上記第１バスバー２５１及び上記第２バスバー２５２を上記第１基板２２０の下面に延長させるためのホールが形成される必要がない。
【００７１】
したがって、実施形態に係る太陽電池モジュールを容易に形成することができ、向上した機械的な強度を有する。
【００７２】
また、上記第１基板２２０の上面に上記ジャンクションボックス４００を付着させた後、上記フレーム１００内部に上記ジャンクションボックス４００を締結させることができる。これによって、上記ジャンクションボックス４００が動いたり脱落する現象を防止することができる。
【００７３】
また、本実施形態に係る太陽電池モジュールは、外部光を電気エネルギーに変換させる一種の太陽光発電装置である。本実施形態に係る太陽電池モジュールの構造は、多様な太陽光発電装置に適用できる。
【００７４】
図６は、本発明の他の実施形態に係る太陽電池モジュールを示す図である。図７は、図６のＢ−Ｂ’に沿って切断した断面を示す断面図である。本実施形態では、前述した太陽電池モジュールに対する説明を参照し、緩衝フィルムについて追加的に説明する。前述した実施形態に対する説明は、変更された部分を除いて、本実施形態に対する説明に本質的に結合できる。
【００７５】
図６及び図７を参照すると、本実施形態に係る太陽電池モジュールは、ジャンクションボックスを省略することができる。
【００７６】
緩衝フィルム２３０は、第２領域Ｒ２にも配置される。即ち、上記緩衝フィルム２３０は、上記第２領域Ｒ２を覆うことができる。上記緩衝フィルム２３０は、第１バスバー２５１及び第２バスバー２５２の全体を覆うことができる。また、上記緩衝フィルム２３０は、ダイオード４１０を覆うことができる。また、上記緩衝フィルム２３０は、第１連結配線６１０及び第２連結配線６２０を覆うことができる。
【００７７】
したがって、上記緩衝フィルム２３０は、ジャンクションボックス機能も遂行することができる。即ち、上記緩衝フィルム２３０は、ダイオード４１０などを保護することができる。
【００７８】
第２基板２４０は、上記緩衝フィルム２３０の上面の一部を露出させる。即ち、上記第２基板２４０は、上記緩衝フィルム２３０の上に段差を形成し、積層される。
【００７９】
本実施形態に係る太陽電池パネル２００は、ジャンクションボックスを別に使用しないので、容易に形成できる。
【００８０】
以上、実施形態に説明された特徴、構造、効果などは、本発明の少なくとも１つの実施形態に含まれ、必ず１つの実施形態のみに限定されるものではない。ひいては、各実施形態で例示された特徴、構造、効果などは、実施形態が属する分野の通常の知識を有する者により他の実施形態に対しても組み合わされてまたは変形されて実施可能である。したがって、このような組合せと変形に関連した内容は本発明の範囲に含まれることと解釈されるべきである。
【００８１】
以上、本発明を好ましい実施形態をもとに説明したが、これは単なる例示であり、本発明を限定するのでない。本発明の本質的な特性を逸脱しない範囲内で、多様な変形及び応用が可能であることが同業者にとって明らかである。例えば、実施形態に具体的に表れた各構成要素は変形して実施することができ、このような変形及び応用にかかわる差異点も、特許請求の範囲で規定する本発明の範囲に含まれるものと解釈されるべきである。
【産業上の利用可能性】
【００８２】
本発明に係る太陽電池モジュールは、太陽光発電分野に用いられる。
【図１】
2013506993.tif 000003
【図２】
2013506993.tif 000004
【図３】
2013506993.tif 000005
【図４】
2013506993.tif 000006
【図５】
2013506993.tif 000007
【図６】
2013506993.tif 000008
【図７】
2013506993.tif 000009
【国際調査報告】
2013506993.tif 000010
2013506993.tif 000011
2013506993.tif 000012
2013506993.tif 000013